(57)【要約】【課題】耕耘作業機のフラップカバー等を取り外さなくとも土寄せ具を容易に装着することができ、また、土寄せ具を容易に畔際に寄せることができるようにする。【解決手段】トラクタ後部に装着される機枠に耕耘部６を設け、この耕耘部６の左右外側でかつ前側に、畔際の土を幅方向内側に寄せる土寄せ具３０を設ける。【選択図】　　図１
2004049146.tif 000002
【特許請求の範囲】
【請求項１】
トラクタ後部に装着される機枠に耕耘部が設けられ、この耕耘部の左右外側でかつ前側に、畔際の土を幅方向内側に寄せる土寄せ具が設けられていることを特徴とする耕耘作業機の畔際処理装置。
【請求項２】
前記土寄せ具が、土の反力により左右外側へ移動するように左右移動自在に設けられていることを特徴とする請求項１記載の耕耘作業機の畔際処理装置。
【請求項３】
前記土寄せ具が、土の反力により左右外方へ移動するように左右移動自在に設けられ、この土寄せ具を左右内方へ付勢する付勢手段が設けられていることを特徴とする請求項１記載の耕耘作業機の畔際処理装置。
【請求項４】
前記土寄せ具の左右移動を規制する手段が設けられていることを特徴とする請求項２又は３記載の耕耘作業機の畔際処理装置。
【請求項５】
前記土寄せ具は、上部を支点として左右揺動自在に設けられた支持部材の下端部に設けられていることを特徴とする請求項２〜４のいずれかに記載の耕耘作業機の畔際処理装置。
【請求項６】
前記土寄せ具が、下方の作用姿勢と上方の退避姿勢とに姿勢変更自在に設けられていることを特徴とする請求項１〜５のいずれかに記載の耕耘作業機の畔際処理装置。
【請求項７】
前記土寄せ具は、退避姿勢としたときに作用姿勢としたときよりも幅方向内側に位置するようになっていることを特徴とする請求項６記載の耕耘作業機の畔際処理装置。
【請求項８】
前記土寄せ具は、機枠に左右軸心回りに回動自在で同軸心方向に位置調整自在に設けられた取付部材の左右外端部に設けられていることを特徴とする請求項７記載の耕耘作業機の畔際処理装置。
【発明の詳細な説明】
【０００１】
【発明の属する技術分野】
本発明は、トラクタの後部に装着される耕耘作業機の畔際処理装置に関するものである。
【０００２】
【従来の技術】
実用新案登録３０４０４６２号公報には、トラクタの後部に設けたロータリの側部に取り付けられる支持フレームと、この支持フレームの下端部に設けられ、土層表面に対して上方から起立した状態で進行方向に対して傾斜状に挿し入れられる回転式の耕起ディスクと、この耕起ディスクの後方位置で耕起ディスクがカットした土層表面に溝を形成する整形板とを備えている畦畔処理装置が開示されている。
【０００３】
この従来装置では、支持フレームをロータリの側部に固定してトラクタで牽引すると、耕起ディスクがその回転動作により土層表面に土をカットしながら内側後方へ移送し、さらに整形板がその傾斜に沿って土層表面の土を内側後方へ押し出しながら、トラクタの進行方向に延びる溝を形成するものとなっている。
また、コンクリート製の畔の場合、耕起ディスクを畔際まで近接させてもその下側に残耕が生じるため、かかる部分を掻き出す残耕処理機を設けたものとなっている。
【０００４】
【発明が解決しようとする課題】
上記従来技術においては、耕起ディスクが耕耘部の後側に配置され、さらに後方に整形板が配置されているため、かかる畦畔処理機をロータリに装着するにあたり、後部カバーの後端に装着された均平用のフラップカバーや、後部カバーの両サイド部分（補助カバー）を取り外さなければならず、装着作業が面倒であるという問題があった。
また、耕起ディスク等がロータリの後側にあることからトラクタを左右に操舵したときの左右の振れが大きくなり、位置制御が難しく、安定して畔際に寄せるには相当の熟練を要するものであった。
【０００５】
さらに、畔がコンクリート製である場合には、耕起ディスクが衝突することによって破損してしまう可能性があり、位置制御が困難であることも相まって破損する可能性も高くなっていた。
本発明は、従来技術が有する問題を解消することを目的とする。
【０００６】
【課題を解決するための手段】
本発明は、目的を達成するために以下の技術的手段を講じた。
すなわち、本発明にかかる耕耘作業機の畔際処理装置は、トラクタ後部に装着される機枠に耕耘部が設けられ、この耕耘部の左右外側でかつ前側に、畔際の土を幅方向内側に寄せる土寄せ具が設けられていることを特徴とするものである。このような土寄せ具の配置によって、フラップカバーや補助カバー等を取り外さなくとも土寄せ具を装着することができるようになり、装着作業性が容易になる。また、土寄せ具が耕耘部よりも前側の配置となるため、トラクタの操舵による左右の振れが小さくなり、その分容易に土寄せ具を畔際に寄せることが可能となる。
【０００７】
前記土寄せ具は、土の反力により左右外側へ移動するように左右移動自在に設けられていることが好ましい。また、土寄せ具は、土の反力により左右外側へ移動するように左右移動自在に設けられ、この土寄せ具を左右内方へ付勢する付勢手段が設けられていることが好ましい。
これにより、土の反力により可及的に畔際に寄せることが可能となり、トラクタの操縦も容易に行えるようになる。また、畔がコンクリート製である場合には、左右内方に移動することによって土寄せ具の損傷を防止でき、この作用は付勢手段による付勢でより確実なものとなる。
【０００８】
前記土寄せ具の左右移動を規制する手段が設けられていることが好ましく、これによって土寄せ具を固定した状態での使用を行ったり、不使用時に土寄せ具の左右移動を固定できるようになる。
前記土寄せ具は、上部を支点として左右揺動自在に設けられた支持部材の下端部に設けられていることが好ましい。これによって、土寄せ具の左右移動が簡素な構造によって実現できる。
前記土寄せ具は、下方の作用姿勢と上方の退避姿勢とに姿勢変更自在に設けられていることが好ましい。これによって、土寄せ具を使用しない場合等にその都度離脱する必要もなくなるし、離脱した際の保管の煩わしさを解消できるようになる。
【０００９】
前記土寄せ具は、退避姿勢としたときに作用姿勢としたときよりも幅方向内側に位置するようになっていることが好ましい。
これによって、退避姿勢としたときに土寄せ具が外方に突出せず、トラクタからの後方視界の妨げになったり、通常の耕耘作業の障害になることもほとんどない。
前記土寄せ具は、機枠に左右軸心回りに回動自在で同軸心方向に位置調整自在に設けられた取付部材の左右外端部に設けられていることが好ましい。これによって土寄せ具を作用姿勢と退避姿勢とに容易に姿勢変更することができ、退避姿勢としたときに左右内方に位置するように位置変更することができる。
【００１０】
【発明の実施の形態】
図１及び図２は、ロータリタイプの耕耘作業機１を示している。
この耕耘作業機１は、トラクタの後部に３点リンク機構で例示する装着機構３を介して着脱自在に装着されるようになっており、機枠５と、この機枠５の下部に設けられた耕耘部６と、耕耘部６を覆う耕耘カバー７と、本発明にかかる畔際処理装置８と、を備えている。
機枠５は、左右中央部のギヤケース１０から左右両側にサポートアーム１１を突設し、一方（左側）のサポートアーム１１の外端部に伝動ケース１２の上部を連結し、他方（右側）のサポートアーム１１の外端部にサイドフレーム１３の上部を連結して、背面視門型状に形成されている。
【００１１】
ギヤケース１０の上部には、トップマスト１４が固定され、このトップマスト１４の前上部に３点リンク機構２のトップリンク３Ａが連結され、左右のサポートアーム１１から突出するブラケットに左右ロワーリンク３Ｂが連結されるようになっている。
ロータリ耕耘部６は、伝動ケース１２とサイドフレーム１３の下部に両端部が回転自在に支持された左右方向の軸心を有する爪軸１５と、この爪軸１５に取り付けられた多数の耕耘爪１６とを備えている。
【００１２】
トラクタのＰＴＯ軸からの動力は、ユニバーサルジョイント及び伝動軸を介してギヤケース１０内に伝達され、更にギヤケース１０内のベベルギヤ機構、左サポートアーム１１内の伝動軸、伝動ケース１２内のチェーン伝動機構を経て爪軸１５に伝達される。
耕耘カバー７は、耕耘部６の上方を覆う主カバー１８と、耕耘部６の後方を覆う後部カバー１９と、後部カバー１９の下端部に取り付けられて接地するフラップカバー２０と、耕耘部６の後部の左右両側を覆う側部カバー２１とを有している。
【００１３】
主カバー１８は、その左右方向の端部が、伝動ケース１２とサイドフレーム１３とに取り付けられた左右の側板２２に固定されている。
後部カバー１９は、その上端側が主カバー１８の後端側に左右方向の軸心２３回りに回動自在に枢支され、上下揺動自在とされている。
側部カバー２１は、伝動ケース１２又はサイドフレーム１３等に取り付けられている。
また、機枠５には、ゲージ輪２４を取り付けるための支持装置２５が設けられており、この支持装置２５は、前端側が機枠５に枢支されて上下揺動自在とされた支持フレーム２６と、この支持フレーム２６の上下揺動位置を調整する高さ調整手段２７とを備えている。
【００１４】
支持フレーム２６は、前後方向に配置されていて前端が左右サポートアーム１１にブラケットを介して回動自在に連結された左右一対の縦フレーム２８と、左右縦フレーム２８の後端を繋ぐように左右方向に配設された横フレーム２９とを有し、この横フレーム２９の左右外端部にゲージ輪２４が取り付けられている。縦フレーム２８は、前後摺動自在な内外筒によって伸縮自在とされており、ピン等の固定手段によってその長さが設定されるようになっている。
高さ調整手段２７は、左右縦フレーム２８の中途部同士を連結する連結部材２６Ａとトップマスト１４との間に設けられており、ハンドル２７Ａの操作によって伸縮することによって前部の枢支点回りに支持フレーム２６を上下動するようになっている。
【００１５】
左右一方（右側）のサポートアーム１１の左右外側部には、畔際処理装置８が設けられている。
この畔際処理装置８は、耕耘部６の左右外側（右側）で且つ前側に配置された土寄せ具３０を有しており、本実施形態では、略皿状乃至椀状の回転自在なディスクによって構成されている。
この土寄せ具３０は、前側が左右外側に位置するように傾斜して配置されており、この土寄せ具３０を保持する保持手段３１は、上下方向に配置されていて下端部に土寄せ具３０を回転自在に取り付けた支持部材３２と、この支持部材３２の上部を前後軸心回りに揺動自在に取り付けた取付部材３３と、この取付部材３３をサポートアーム１１に取り付けるための装着ブラケット３４と、を備えている。また、土寄せ具３０は、トラクタの後輪Ｔの後側で左右外側に配置されるようになっている。
【００１６】
支持部材３２は、図３乃至図６に示すように、上下２分割構造となっており、左右内方が開放した断面コ字形状の上側部材３５と、この上側部材３５のコ字内に嵌め込まれた下側部材３６とを有し、固定ボルト６０によって両者が連結されている。また、下側部材３６には固定ボルト６０が取り付けられる複数の連結孔６１が形成され、これのいずれかを選択することによって上側部材３５に対する下側部材３６の上下位置が調整でき、この調整によって支持部材３２の長さを可変としている。
【００１７】
取付部材３３は、左右方向に配設されたパイプ材よりなり、その左右外端部に、下方に突出する規制片３７を有している。この規制片３７は角パイプ等により構成され、前後に貫通する取付孔３８を備えており、この取付孔３８には、ベータピンよりなる抜止部材３９により抜け止めされた状態で規制ピン４０が取り付けられている。
この規制片３７の上方において取付部材３３の外端部には枢軸（枢支ボルト）６２によって支持部材３２（上側部材３５）の上端部が枢支されており、この上側部材３５のコの字内に規制片３７が入り込むような配置となっている。
【００１８】
上側部材３５の前後壁部分には、枢支ボルト６２を中心とする円弧状の長孔で例示する揺動範囲設定部４１が形成されており、この長孔４１に規制ピン４０の前後端部が挿通されている。このため、支持部材３２は、この長孔４１の範囲内で上部の枢支ボルト６２を支点として左右に揺動自在となっている。
また、長孔４１の下側には固定孔４２が形成され、規制片３７の下部にも固定孔４３が形成され、両孔４２，４３を適合させた状態で固定ピン４４を挿通することによって、支持部材３２が左右最内側の揺動位置で固定されるようになっている。
【００１９】
前記規制片３７の左右内面には取付具４５を介して引っ張りコイルバネよりなる付勢部材４６の上端が取り付けられ、この付勢部材４６の下端は、上側部材３５の内面から突出する取付具４７に取り付けられており、この付勢部材４６によって支持部材３２に左右内方への付勢力が付与されている。
図８に示すように、上記土寄せ具３０は、その後端の左右位置が耕耘部６（耕耘爪１６）の左右外端位置と略対応し、その前端位置がこれよりも左右外側に配置されるように傾斜しており、これによって、畔Ａ際（畔の壁面）の土はトラクタの進行により土寄せ具３０でカットされつつ左右内方へ寄せられ、耕耘部６へと導かれるようになっている。
【００２０】
また、この際に土寄せ具３０は、支持部材３２の左右揺動によって左右に移動可能となっているため、土からの反力により左右外側へ移動し、これによって可及的に畔Ａの際まで土寄せ具３０を近づけることが可能となっている。
一方、畔Ａがコンクリート等の堅い物である場合、土寄せ具３０が衝突して破損してしまう恐れが生じるが、本実施形態の土寄せ具３０では、畔Ａとの接触によって左右内方に退避することが可能となるため、破損等を防止することができるようになっている。
【００２１】
また、土寄せ具３０が耕耘部６の左右外側で且つ前側に配置されているため、かかる土寄せ具３０を装着するためにフラップカバー２０等を取り外さなくてもよく、装着作業が容易になるとともにフラップカバー２０による均平作業も同時に行えるようになっている。
上記装着ブラケット３４は、図６及び図７に示すように、基板５１に対して一対の位置決め壁５１Ａを後方に突出し、基板５１の前方に取付部材３３を保持する保持筒５２を備えており、一対の位置決め壁５１Ａの後縁にはサポートアーム１１の外周部に嵌り込む凹部５１Ｂが形成され、一方の位置決め壁５１Ａがボルト等の締結具５３を介してサイドフレーム１３に連結されるようになっている。また、基板５１は、サポートアーム１１の外周部に嵌められたＵ字状ボルト５４とこのＵ字ボルト５４の両端に螺合するナット５５によってもサポートアーム１１に連結されている。
【００２２】
上記保持筒５２には、取付部材３３が軸方向摺動自在で軸心回りに回動自在に挿入されており、この保持筒５２には上下に貫通する位置決め孔５６が形成されている。
一方、取付部材３３には、上下に貫通する位置決め孔５７Ａ，５７Ｂが左右に２つ（２組）形成されており、いずれかの位置決め孔５７Ａ，５７Ｂを選択して保持筒５２の位置決め孔５６に適合し、固定ピン５８を挿入することによって支持部材３２及び土寄せ具３０を所定の姿勢で固定できるようになっている。
【００２３】
ここで、畔際処理を行う場合には、支持部材３２を下向き（より詳細には前下がり傾斜状の下向き）の状態として、取付部材３３の左右内側の位置決め孔５７Ａと保持筒５２の位置決め孔５６とを適合し、固定ピン５８を挿入することによって土寄せ具３０を作用姿勢とする（図１参照）。
一方、畔際以外の耕耘時等、土寄せ具３０の不使用時には、固定ピン５８を取り外して支持部材３２が上向き（後上がり傾斜状の上向き）となるように略１８０°上下反転し、さらに取付部材３３を左右内方に摺動させることにより左右外側の位置決め孔５７Ｂと保持筒５２の位置決め孔５６とを適合する。そして、これら位置決め孔５６，５７Ｂに再度固定ピン５８を挿入することによって、図１に２点鎖線で示すように土寄せ具３０が非作用姿勢（退避姿勢）となるようになっている。
【００２４】
したがって、土寄せ具３０を使用しない場合にはこれを耕耘作業機１から取り外す必要もなく、保管等の煩わしさが解消でき、上方に退避することによって通常の耕耘作業の障害にもならない。
また、図３に２点鎖線で示すように、退避姿勢では、土寄せ具３０が左右内方に移動し、耕耘作業機１の左右幅内に収まるようになっていることによっても耕耘作業や後方視界の障害にならないようにしている。
本発明は、上記実施形態に限定されるものではなく適宜設計変形可能である。
【００２５】
たとえば、土寄せ具は、回転式の円形ディスクタイプを採用したが、非回転の帯板材等を利用することができる。
土寄せ具の作用姿勢と退避姿勢との姿勢変更は、上下反転に限定されることなく単なる上下動等とすることができる。また、上下反転する場合は横軸心回りに限らず前後軸心回りの反転とすることができる。
【００２６】
【発明の効果】
以上詳述したように本発明によれば、土寄せ具が耕耘部の左右外側でかつ前側に配設されているので、耕耘作業機のフラップカバーや補助カバー等を取り外さなくとも土寄せ具を容易に装着することができるようになり、また、土寄せ具が耕耘部よりも前側の配置となるため、トラクタの操舵による左右の振れが小さくなり、その分容易に土寄せ具を畔際に寄せることが可能となる。
【図面の簡単な説明】
【図１】畔際処理装置を具備した耕耘作業機の側面図である。
【図２】同平面図である。
【図３】畔際処理装置の正面図である。
【図４】支持部材と取付部材との連結部分を拡大して示す正面断面図である。
【図５】図４のＡ−Ａ矢示図である。
【図６】畔際処理装置の分解斜視図である。
【図７】装着ブラケットの平面図である。
【図８】畔際処理装置の作用を模式的に示した平面図である。
【符号の説明】
１　　　耕耘作業機
６　　　耕耘部
８　　　畔際処理装置
３０　　　土寄せ具
３２　　　支持部材
３３　　　取付部材
３４　　　装着ブラケット
【図１】
2004049146.tif 000003
【図２】
2004049146.tif 000004
【図３】
2004049146.tif 000005
【図４】
2004049146.tif 000006
【図５】
2004049146.tif 000007
【図６】
2004049146.tif 000008
【図７】
2004049146.tif 000009
【図８】
2004049146.tif 000010